(57)【要約】【課題】  どの地点でどのような事象が発生したかの情報と、実際映像を得る。【解決手段】  センサ１１−１、１１−２、・・・、１１−ｍにより検出された情報を受信するデータ受信部２１と、上記データ受信部２１が受信した情報と予め蓄積している対応する閾値情報とを比較して通知条件の成否を判定する比較判定部２２と、前記比較判定部２２による判定の結果、通知条件が成立した場合に、受信した情報に対応する送信先に対して、対応する通知用データと共に対応する映像の配信元アドレスを配信する映像配信元データ部２５及び通知部２６とを具備する。【選択図】  図２
2006155028.tif 000002
【特許請求の範囲】
【請求項１】
センサにより検出された情報を受信する受信手段と、
上記受信手段が受信した情報と予め蓄積している対応する閾値情報とを比較して通知条件の成否を判定する判定手段と、
前記判定手段による判定の結果、通知条件が成立した場合に、受信した情報に対応する送信先に対して、対応する通知用データと共に対応する映像の配信元アドレスを配信する配信手段と
を具備することを特徴とする情報通知装置。
【請求項２】
センサにより検出された情報を受信する受信手段と、
上記受信手段が受信した情報と予め蓄積している対応する閾値情報とを比較して通知条件の成否を判定する判定手段と、
前記判定手段による判定の結果、通知条件が成立した場合に、受信した情報に対応する送信先に対して、対応する通知用データと監視対象を撮像して映像信号を得るカメラからの映像を配信する配信手段と
を具備することを特徴とする情報通知装置。
【発明の詳細な説明】
【技術分野】
【０００１】
この発明は、河川監視や侵入監視等のシステムに用いることのできる情報通知装置に関するものである。
【背景技術】
【０００２】
従来の監視システムとしては、センサの発報情報が伝えられた時点で、監視カメラにより得られているリアルタイム映像を送出するものが、特許文献１に記載されている。
【特許文献１】特開２００３−３２４７１４号公報
【０００３】
これに対し、監視地点と監視対象が複数存在しており、生じた事象、地点等を明らかにするための情報通知装置としては、図５に示されるものが知られている。即ち、複数のセンサからのデータを受け取るデータ受信部３１と、情報通知を行う通知部３６とを備えている。
【０００４】
更に、センサから到来するデータと比較すべき閾値データが登録されている登録データ部３４と、情報通知先（電話番号等）が登録されている通知先データ登録部３７が備えられており、また、センサからのデータと登録データ部３４に登録されている対応するデータとを比較し、閾値を超えたか否かの判定を行う比較判定部３３、比較判定部３３の出力に応じて通知すべきデータを出力するデータ変換部３５を備えている。
【０００５】
上記構成に係る情報通知装置では、センサからデータが到来すると、比較すべき閾値データを登録データ部３４から取り出して比較判定部３３において比較が行われ、閾値を超えている場合には、データ変換部３５において通知すべき情報に変換されて通知部３６へ送られる。通知部３６においては、通知すべき情報に対応する送り先データを通知先データ登録部３７から取り出し、これを用いて情報の通知を行う。
【０００６】
通知先の端末は、電話機やＦＡＸであり、例えば、河川における水位の情報に基づき警戒水位を超えた旨の通知等が行われる。
【０００７】
しかしながら、上記の情報通知装置では、地点やどのような事象が発生したのかを把握することが可能であるが、実際にどのような状況となっているのかを把握することができず、不便であるという問題点があった。
【発明の開示】
【発明が解決しようとする課題】
【０００８】
本発明の課題は、どの地点でどのような事象が発生したのか、実際にどのような状況となっているのかを把握することを可能とする情報通知装置を提供することである。
【課題を解決するための手段】
【０００９】
本発明に係る情報通知装置は、センサにより検出された情報を受信する受信手段と、上記受信手段が受信した情報と予め蓄積している対応する閾値情報とを比較して通知条件の成否を判定する判定手段と、前記判定手段による判定の結果、通知条件が成立した場合に、受信した情報に対応する送信先に対して、対応する通知用データと共に対応する映像の配信元アドレスを配信する配信手段とを具備することを特徴とする。
【００１０】
本発明に係る情報通知装置は、センサにより検出された情報を受信する受信手段と、上記受信手段が受信した情報と予め蓄積している対応する閾値情報とを比較して通知条件の成否を判定する判定手段と、前記判定手段による判定の結果、通知条件が成立した場合に、受信した情報に対応する送信先に対して、対応する通知用データと監視対象を撮像して映像信号を得るカメラからの映像を配信する配信手段とを具備することを特徴とする。
【発明の効果】
【００１１】
本発明に係る情報通知装置は、通知用データと共に対応する映像の配信元アドレスを配信するので、通知用データの受け取りの際に映像の配信元アドレスを用いて映像データの配信を受けることができ、どの地点でどのような事象が発生したのか、実際にどのような状況となっているのかを把握することが可能となる。
【００１２】
また、本発明に係る情報通知装置は、通知用データと監視対象を撮像して映像信号を得るカメラからの映像を配信するので、どの地点でどのような事象が発生したのか、実際にどのような状況となっているのかを把握することが可能となる。
【発明を実施するための最良の形態】
【００１３】
本発明に係る情報通知装置では、通知用データを送信する場合には、対応する映像を得るように送信を行うことにより映像を含む２通りの情報を取得可能としている。以下、添付図面を参照して本発明に係る情報通知装置の実施例を説明する。各図において、同一の構成要素には同一の符号を付して重複する説明を省略する。
【実施例１】
【００１４】
図１に、本発明に係る情報通知装置を用いて構成した監視システムの構成図を示す。このシステムは、所要の地点に設置され、例えば河川の水位、設置箇所の降雨量などを検知するセンサ１１−１、１１−２、・・・、１１−ｍと、センサ１１−１、１１−２、・・・、１１−ｍに対応して（必ずしも、１対１ではない）所要の地点に設置され、監視対象を撮像して映像信号を得るカメラ１２−１、１２−２、・・・、１２−ｎとを備える。
【００１５】
センサ１１−１、１１−２、・・・、１１−ｍには、情報通知装置１が接続されており、カメラ１２−１、１２−２、・・・、１２−ｎには、映像配信サーバ２が接続されている。情報通知装置１及び映像配信サーバ２は、ネットワーク３を介して情報通知先ユーザ４の端末４１、４２に接続される。ここでは、端末４１として電話機を示し、端末４２としてパーソナルコンピュータを示している。なお、ここでは、１つのユーザ４を示したが、通常は複数のユーザが存在している。
【００１６】
情報通知装置１は、図２に示されるように構成されている。即ち、複数のセンサ１１−１、１１−２、・・・、１１−ｍからのデータを受け取るデータ受信部(受信手段)２１と、情報通知を行う通知部２６とを備えている。更に、センサ１１−１、１１−２、・・・、１１−ｍから到来するデータと比較すべき閾値データが登録されている登録データ部２４と、情報通知先（電話番号等）が登録されている通知先データ登録部２７が備えられており、また、センサ１１−１、１１−２、・・・、１１−ｍからのデータと登録データ部２４に登録されている対応するデータとを比較し、閾値を超えたか否かの判定を行う比較判定部(判定手段)２２、比較判定部２２の出力に応じて通知すべきデータを出力するデータ変換部２３を備えている。
【００１７】
更に、本実施例では、映像配信元データ部２５を備えている。映像配信元データ部２５には、センサ１１−１、１１−２、・・・、１１−ｍに対応するカメラ１２−１、１２−２、・・・、１２−ｎの映像を配信するサイトのアドレス（ＵＲＬ：Uniform Rresource Locater）を記憶しており、比較判定部２２の出力に応じてアドレスを通知部２６へ送出する(配信手段)。
【００１８】
一方、図１における映像配信サーバ２は、カメラ１２−１、１２−２、・・・、１２−ｎから得られた映像信号を、Ｗｅｂサイトにより配信可能な映像データへと変換し、それぞれのＵＲＬによるアクセスを受けて配信を行うように構成されている。
【００１９】
以上のように構成された監視システムにおいて情報通知装置１では、例えばセンサ１１−２からデータが到来すると、データ受信部２１がこれを受け取り、センサ１１−２を特定する情報と共に比較判定部２２へ送る。比較判定部２２はセンサ１１−２に対応する比較すべき閾値データを登録データ部２４から取り出して比較を行い、閾値を超えている場合には、データ変換部２３に対しセンサ１１−２を特定する情報と共に情報の通知を指示する。
【００２０】
データ変換部２３は、センサ１１−２を特定する情報に基づいて通知すべき情報に変換を行ってセンサ１１−２を特定する情報と共に通知部２６へ送る。一方、比較判定部２２からは映像配信元データ部２５に対してもセンサ１１−２を特定する情報が送られている。映像配信元データ部２５は、送られてくるセンサ１１−２を特定する情報に基づいて対応するＵＲＬを得て通知部２６へ送る。通知部２６においては、センサ１１−２を特定する情報に基づき対応する送り先データ（ユーザ４における端末４１の電話番号）を通知先データ登録部２７から取り出し、これを用いてデータ変換部２３から送られた情報及び映像配信元データの通知を行う。
【００２１】
ユーザ４における端末４１に着信があり、例えば、センサ１１−２がある地点の降雨量計である場合には、「ＸＸ地点の降雨量が警戒値のＸＸＸミリを超えました。映像の配信サイトのＵＲＬは、ＶＶＶＶＶです。」などの情報が通知される。そこで、ユーザ４は端末４２においてＵＲＬとして通知されたＶＶＶＶＶを用いて配信サーバ２の該当サイトへアクセスを行い、映像の配信を得る。例えば、センサ１１−２とカメラ１２−２とが対応しており、ＵＲＬとして通知されたＶＶＶＶＶによりカメラ１２−２により得られている映像データを配信するサイトが構成されているため、ユーザ４はリアルタイムにおけるカメラ１２−２により得られている映像データを得ることができる。
【００２２】
なお、端末４１はＦＡＸであっても良く、この場合には、端末４１へ送られる情報はファクシミリ画像データとされる。
【実施例２】
【００２３】
図３には、第２の実施例に係る情報通知装置１Ａを用いて構成した監視システムを示している。このシステムでは、カメラ１２−１、１２−２、・・・、１２−ｎにより得られた映像信号が、情報通知装置１Ａに送られる。情報通知装置１Ａの構成は、図４に示されるように、映像処理選択部２８が備えられており、カメラ１２−１、１２−２、・・・、１２−ｎにより得られた映像信号が、この映像処理選択部２８に取り込まれる。
【００２４】
映像処理選択部２８は、取り込んだ映像信号をネットワーク３を介して送信可能な携帯の映像データへと変換する機能及び、センサを特定する情報に基づいてカメラ１２−１、１２−２、・・・、１２−ｎのいずれかの映像データを選択して出力する機能を備えている。ユーザ４は、端末４３としてモニタ付きの受信端末を有し、映像情報を受けて映像を表示可能となっている。データ変換部２３では、変換後の通知データとして映像データにスーパーインポーズするデータを出力する。情報通知装置１Ａにおける他の構成は、図２に示した情報通知装置１の構成と同様である。
【００２５】
上記の情報通知装置１Ａを具備する監視システムにおいて、例えばセンサ１１−２からデータが到来した場合の動作を説明する。情報通知装置１Ａでは、センサ１１−２からデータが到来すると、データ受信部２１がこれを受け取り、センサ１１−２を特定する情報と共に比較判定部２２へ送る。比較判定部２２はセンサ１１−２に対応する比較すべき閾値データを登録データ部２４から取り出して比較を行い、閾値を超えている場合には、データ変換部２３に対しセンサ１１−２を特定する情報と共に情報の通知を指示する。
【００２６】
データ変換部２３は、センサ１１−２を特定する情報に基づいて通知すべき情報（上記スーパーインポーズするデータ）に変換を行ってセンサ１１−２を特定する情報と共に通知部２６へ送る。一方、比較判定部２２からは映像処理選択部２８に対してもセンサ１１−２を特定する情報が送られている。映像処理選択部２８は、送られてくるセンサ１１−２を特定する情報に基づいて対応するカメラ（ここでは、カメラ１２−２とする）の情報を得て、映像情報の選択を行い通知部２６へ送る。通知部２６においては、センサ１１−２を特定する情報に基づき対応する送り先データ（ユーザ４における端末４３のＩＰアドレス）を通知先データ登録部２７から取り出し、これを用いてデータ変換部２３から送られた情報を映像情報にスーパーインポーズして送信を行う(配信手段)。
【００２７】
ユーザ４における端末４３に着信があり、例えば、センサ１１−２がある地点の降雨量計である場合には、「ＸＸ地点の降雨量が警戒値のＸＸＸミリを超えました。」などの情報と共にカメラ１２−２により得られている映像が端末４３に写し出され、どこで何が生じているかという現時点の状況を的確に把握することができる。
【００２８】
なお、ユーザ４に対する通知は、電話やＦＡＸによっても良く、この場合には、端末４３にはカメラにより撮像された映像が表示される。
【図面の簡単な説明】
【００２９】
【図１】本発明に係る第１の実施例である情報通知装置を用いて構成した監視システムの構成ブロック図。
【図２】本発明に係る第１の実施例である情報通知装置の構成ブロック図。
【図３】本発明に係る第２の実施例である情報通知装置を用いて構成した監視システムの構成ブロック図。
【図４】本発明に係る第２の実施例である情報通知装置の構成ブロック図。
【図５】従来例に係る情報通知装置の構成ブロック図。
【符号の説明】
【００３０】
１、１Ａ  情報通知装置
２  映像配信サーバ
３  ネットワーク
４  ユーザ
１１−１、１１−２、・・・、１１−ｍ  センサ
１２−１、１２−２、・・・、１２−ｎ  カメラ
２１  データ受信部
２２  比較判定部
２３  データ変換部
２４  登録データ部
２５  映像配信元データ部
２６  通知部
２７  通知先データ登録部
２８  映像処理選択部
【図１】
2006155028.tif 000003
【図２】
2006155028.tif 000004
【図３】
2006155028.tif 000005
【図４】
2006155028.tif 000006
【図５】
2006155028.tif 000007